(57)【要約】【課題】湯水が効果的に体に当たり、温まり感を得やすいシャワー装置を提供する。【解決手段】一端側が浴室の壁面に対して揺動可能に固定され自由端側が浴室の壁面に対して近接離反する一対のアーム２Ｒ，２Ｌと、各アーム２Ｒ，２Ｌに取り付けられた少なくとも湯水を噴射するノズル３と、前記アーム２Ｒ，２Ｌに取り付けられたカーテン部材５Ｒ，５Ｌとを有し、前記アーム２Ｒ，２Ｌを揺動させて自由端側を浴室の壁面から離れる方向に移動させることにより、前記カーテン部材５Ｒ，５Ｌが広がることを特徴とするシャワー装置１。【選択図】図１
2012065848.tif 000002
【特許請求の範囲】
【請求項１】
一端側が浴室の壁面に対して揺動可能に固定され自由端側が浴室の壁面に対して近接離反する一対のアームと、各アームに取り付けられた少なくとも湯水を噴射するノズルと、前記アームに取り付けられたカーテン部材とを有し、前記アームを揺動させて自由端側を浴室の壁面から離れる方向に移動させることにより、前記カーテン部材が広がることを特徴とするシャワー装置。
【請求項２】
前記ノズルから圧縮空気を噴射することが可能であることを特徴とする請求項１に記載のシャワー装置。
【発明の詳細な説明】
【技術分野】
【０００１】
本発明は、浴室に設置されるシャワー装置に関するものである。
【背景技術】
【０００２】
従来、浴室に設置されるシャワー装置には、例えば、特許文献１に記載されたものがあった。特許文献１に記載されたシャワー装置では、複数の散水ノズルを有するアームを備え、入浴者が前記アームを揺動させて任意の角度にして湯水を噴射することができる。
【先行技術文献】
【特許文献】
【０００３】
【特許文献１】特開２００３−２６５３４７号公報
【発明の概要】
【発明が解決しようとする課題】
【０００４】
しかし、特許文献１に記載されたようなシャワー装置では、例えば温水シャワーを浴びる場合、入浴者の体のうちでシャワーが直接当たる部位は温まっても、シャワーが直接当たらない部位は温まりにくかった。特に冬場は、浴室の空気も冷えているので、なかなか温まりにくかった。
【０００５】
さらに、シャワー使用後はタオル等で全身の水滴を拭き取る必要があった。これについては、ジェットエアーのように風を発生させる噴出口を設けるという解決策も講じられたが、装置が大掛かりになるという欠点があった。また、開放された空間にジェットエアーを噴出させても、効果的に体を乾かしにくかった。
【０００６】
本発明は、これらの課題を解決するものである。
【課題を解決するための手段】
【０００７】
上記課題を解決するための請求項１記載の発明は、一端側が浴室の壁面に対して揺動可能に固定され自由端側が浴室の壁面に対して近接離反する一対のアームと、各アームに取り付けられた少なくとも湯水を噴射するノズルと、前記アームに取り付けられたカーテン部材とを有し、前記アームを揺動させて自由端側を浴室の壁面から離れる方向に移動させることにより、前記カーテン部材が広がることを特徴とするシャワー装置である。
【０００８】
請求項１記載の発明により、入浴者がカーテン部材の間に入り、カーテン部材内で湯水を噴射できるので、湯水が効果的に体に当たる。そのため、例えば、温まり感を得やすい。
【０００９】
また、請求項２記載の発明は、前記ノズルから圧縮空気を噴射することが可能であることを特徴とする請求項１に記載のシャワー装置である。
【００１０】
請求項２記載の発明により、ノズルから圧縮空気が噴射され、カーテン部材内で風が起こる。そのため、全身に付着した水滴を効果的に吹き飛ばすことができ、体を乾かすことが容易となる。
【発明の効果】
【００１１】
この発明により、カーテン部材内で湯水を噴射できるので、湯水が効果的に体に当たる。そのため、例えば、温まり感を得やすい。
【図面の簡単な説明】
【００１２】
【図１】本発明のシャワー装置１の使用状態を示す斜視図である。
【図２】本発明のシャワー装置１を示す分解斜視図である。
【図３】（Ａ）は本発明のシャワー装置１の側面図、（Ｂ）はその正面図である。
【図４】本発明のシャワー装置１の配管系統図である。
【発明を実施するための形態】
【００１３】
以下、本発明のシャワー装置１の実施形態について、図面を参照しつつ説明する。
【００１４】
シャワー装置１は、浴室の壁面（図示せず）に取り付けられる板状部４と、板状部４に一端を支持された左右一対のアーム２Ｒ，２Ｌと、各アーム２Ｒ，２Ｌにそれぞれ複数取り付けられた湯水を噴射するノズル３と、前記アーム２Ｒ，２Ｌにそれぞれ取り付けられた軟質材料製の扇型カーテン（カーテン部材）５Ｒ，５Ｌとを有する。板状部４には、シャワーボタン２１と、空気噴射ボタン２２が設けられている。
【００１５】
前記アーム２Ｒ，２Ｌは、一端（上端）７側が浴室の壁面に対して揺動可能に固定され、自由端（下端）８側が浴室の壁面に対して近接離反する。シャワー装置１を使用しないときには、アーム２Ｒ，２Ｌを、壁面に近接した姿勢（垂下姿勢）に置く。こうすれば、入浴者の通行の邪魔になりにくい。シャワー装置１を使用するときは、アーム２Ｒ，２Ｌを揺動させて自由端８側が浴室の壁面から離れる姿勢とする。このとき、扇型カーテン５Ｒ，５Ｌは広がっている。
【００１６】
アーム２Ｒ，２Ｌ間には、略長方形状の中間カーテン６が設けられている。この中間カーテン６は、一辺が一方のアームに、他辺が他方のアームに取り付けられているが、入浴者が両アーム間に出入りしやすいように、そのうち少なくとも一辺は、アームにジッパー、フック、ボタン、スナップ等により着脱可能に取り付けられている。勿論、両辺が着脱可能に取り付けられていてもよい。その場合、クリーニングや交換が容易で、衛生上好ましい。
【００１７】
また、アーム２Ｒ，２Ｌの側部に沿ってカーテンレールを設け、アーム２Ｒ，２Ｌの上端が自由端である場合、自由端が壁面に対して近接離反し下端より下方に位置するとカーテンが自動的に展開する。
【００１８】
なお、扇型カーテン５Ｒ，５Ｌも、ジッパー、フック、ボタン、スナップ等により、アーム２Ｒ，２Ｌと着脱可能にすれば、クリーニングや交換が容易で、衛生上好ましい。
【００１９】
また、シャワー装置１は、エアーコンプレッサー１３を内蔵している。図４に示すように、湯水供給源１１からの湯水のライン１２と、エアーコンプレッサー１３からの空気のライン１５が切替弁１６に接続され、入浴者がボタン操作によって切替弁１６を切り替えることにより、湯水のライン１２と空気のライン１５のいずれがシャワーノズル３へのライン１７Ｒ，１７Ｌと連通するかが決定され、シャワーノズル３から湯水を噴射する場合と圧縮空気を噴射する場合を使い分けることができる。なお、エアーコンプレッサー１３は、シャワー装置１の本体に内蔵されていなくても、例えば、壁裏や床下に配置されていてもよい。
【００２０】
シャワー装置１を使用するときは、入浴者がアーム２Ｒ，２Ｌを揺動させて自由端８側を浴室の壁面から離れる方向に移動させれば、扇型カーテン５Ｒ，５Ｌが自動的に広がる。このためにシャワー装置１の使用が容易である。入浴者は、中間カーテン６の着脱容易な一辺をアームから取り外し、アーム２Ｒ，２Ｌの間に入り、腰掛１０に座り、前記一辺を再びアームに取り付ける。そのため、入浴者は、両アーム２Ｒ，２Ｌの間の空間に入った後に中間カーテン６で体を覆うことができ、アーム間の空間に出入りがしやすい。図１のごとく、扇型カーテン５Ｒ，５Ｌは、主として上半身側面を覆い、中間カーテン６は、主として入浴者の上半身前面を覆う。
【００２１】
入浴者がシャワーボタン２１を押すと、各ノズル３から湯水が噴射される。湯水は、扇型カーテン５Ｒ，５Ｌと中間カーテン６に囲まれた空間内で噴射されるので、湯水が効果的に体に当たる。また、温水シャワーの場合、カーテンに囲まれた空間内の気温が上昇する。そのため、温まり感を得やすい。
【００２２】
なお、中間カーテン６があることにより、温まり感が増すが、構成の簡略化のため、中間カーテン６は、省略してもよい。
【００２３】
なお、本実施形態では、腰掛１０に座った姿勢でシャワーを浴びることができるが、板状部４の設置位置を高くして腰掛１０をなくし、入浴者が立った姿勢でシャワーを浴びることとしてもよい。
【００２４】
入浴者がシャワー装置１で湯水の噴射を浴びた後、シャワーボタン２１を再度押すと、湯水の噴射は止まる。次いで空気噴射ボタン２２を押すと、切替弁１６は空気ライン側に切り替えられて、各ノズル３から圧縮空気が噴射され、カーテン５Ｒ，５Ｌ，６内で風が起こる。そのため、全身に付着した水滴が効果的に吹き飛ばされ、体を乾かすことができる。空気噴射ボタン２２を再度押すと、圧縮空気の噴射は止まる。
【００２５】
なお、操作ボタンの数と機能は、適宜変更してよい。例えば、シャワー開始ボタンとシャワー終了ボタンを別個に設けてもよい。或いは、空気噴射ボタンを押すと圧縮空気が噴射され、一定時間経過後、タイマー機能によって自動的に噴射を停止する構成としてもよい。
【符号の説明】
【００２６】
１    シャワー装置
２Ｒ，２Ｌ    アーム
３    ノズル
５Ｒ，５Ｌ    扇型カーテン（カーテン部材）
６    中間カーテン
１３  エアーコンプレッサー
【図１】
2012065848.tif 000003
【図２】
2012065848.tif 000004
【図３】
2012065848.tif 000005
【図４】
2012065848.tif 000006